(57)【要約】【課題】被取付体に確実に固定することができ、また、電線（ケーブルを含む）を作業性よく接続することができる電力用接続コネクタを提供する。【解決手段】互に接続する雄コネクタ２１と雌コネクタ３１からなる電力用接続コネクタにおいて、雄コネクタ２１と雌コネクタ３１の外周に取付座２４ｃ、３４ｃを設け、雄コネクタ２１は雄端子２２がモールドされた雄コネクタ本体２３を有し、雄コネクタ本体２３の後部に、雄端子２２に電気的接続し、かつ雄コネクタ２１に接続されるケーブル２５に接続するネジ締め接続端子２７を取り付け、雌コネクタ３１は雌端子３２がモールドされた雌コネクタ本体３３を有し、雌コネクタ本体３３の後部に、雌端子３２に電気的に接続し、かつ雌コネクタ３１に接続されるケーブル３５に接続するネジ締め接続端子３７を取り付ける。【選択図】        図２
2004259461.tif 000002
【特許請求の範囲】
【請求項１】
相互に接続する雄コネクタと雌コネクタからなる電力用接続コネクタにおいて、
前記雄コネクタの外周に前記雄コネクタと一体的に取付座を設けるとともに、雌コネクタの外周にも前記雌コネクタと一体的に取付座を設けたことを特徴とする電力用接続コネクタ。
【請求項２】
請求項１記載の電力用接続コネクタであって、
前記雄コネクタは雄端子がモールドされた雄コネクタ本体を有し、該雄コネクタ本体の後部には、前記雄端子に電気的に接続されたネジ締め接続端子を取り付けるとともに、前記雌コネクタは雌端子がモールドされた雌コネクタ本体を有し、該雌コネクタ本体の後部には、前記雌端子に電気的に接続されたネジ締め接続端子を取り付けたことを特徴とする電力用接続コネクタ。
【発明の詳細な説明】
【０００１】
【発明の属する技術分野】
本発明は、電力用接続コネクタに関し、特に被取付体に取付容易であり、また電線（ケーブルを含む）の接続が容易な電力用接続コネクタに関する。
【０００２】
【従来の技術】
鉄道線路のポイント周辺を融雪する電気融雪器などには、比較的大きな電流を流す電力用接続コネクタが用いられる。以下、本発明者らが発明した従来の電力用接続コネクタについて、図７に基づいて要部の概略を説明する（特許文献１参照。）。
【０００３】
従来の電力用接続コネクタは、図７に示すように、相互に接続する雄コネクタ１と雌コネクタ２とで構成されている。
【０００４】
雄コネクタ１では、雄端子３が合成樹脂よりなる雄コネクタ本体４でモールドされている。雄コネクタ本体４の後部外周には、ゴム製の雄保護カバー５の前部が装着されている。雄保護カバー５の後部には、この雄コネクタ１に接続されるケーブル６が挿入され、ケーブル６は雄端子３に接続されている。
また、雌コネクタ２では、雌端子７が合成樹脂よりなる雌コネクタ本体８でモールドされている。雌コネクタ本体８の後部外周には、ゴム製の雌保護カバー９の前部が装着されている。雌保護カバー９の後部には、この雌コネクタ２に接続されるケーブル１０が挿入され、ケーブル１０は雌端子７に接続されている。
雄コネクタ１と雌コネクタ２の接続は、雄端子３と雌端子７を嵌合させ、雄コネクタ本体４の前部外周に装着された雄コネクタハウジング１１と雌コネクタ本体８の前部外周に装着された雌コネクタハウジング１２とを螺合しておこなう。
【０００５】
【特許文献１】特願２００２−３２６７３９号出願明細書
【０００６】
【発明が解決しようとする課題】
しかしながら、上述の電力用接続コネクタには以下の問題点があった。即ち、
１）電力用接続コネクタに接続されるケーブル６、１０は、比較的電流容量が大きく、曲げ剛性が大きいため、電力用接続コネクタを壁体などの被取付体に安定した状態で取り付け、固定することが困難であった。
２）ケーブル６、１０を雄端子３および雌端子７へ接続する作業は、雄端子３および雌端子７の露出された端部に圧着や半田付けでおこなうため、その接続の作業性が良くなかった。
【０００７】
【課題を解決するための手段】
本発明は上記問題点を解決すべくなされたもので、請求項１記載の発明は、相互に接続する雄コネクタと雌コネクタからなる電力用接続コネクタにおいて、前記雄コネクタの外周に前記雄コネクタと一体的に取付座を設けるとともに、雌コネクタの外周にも前記雌コネクタと一体的に取付座を設けたことを特徴とするものである。
【０００８】
また、請求項２記載の発明は、請求項１記載の電力用接続コネクタであって、前記雄コネクタは雄端子がモールドされた雄コネクタ本体を有し、該雄コネクタ本体の後部には、前記雄端子に電気的に接続されたネジ締め接続端子を取り付けるとともに、前記雌コネクタは雌端子がモールドされた雌コネクタ本体を有し、該雌コネクタ本体の後部には、前記雌端子に電気的に接続されたネジ締め接続端子を取り付けたことを特徴とするものである。なお、前記電線はケーブルを含むものとする。
【０００９】
請求項１記載の発明によれば、雄コネクタの外周と雌コネクタの外周に一体的に取付座が設けられているため、雄コネクタと雌コネクタを相互に接続した状態で、電力用接続コネクタを取り付ける被取付体に安定した状態に取り付け、固定することができる。
【００１０】
また、請求項２記載の発明によれば、雄コネクタ本体の後部には、雄端子に電気的に接続されたネジ締め接続端子が取り付けられており、雌コネクタ本体の後部には、雌端子に電気的に接続されたネジ締め接続端子が取り付けられているため、電線を雄コネクタおよび雌コネクタに作業性良く接続することができる。
【００１１】
【発明の実施の形態】
以下、図面に基づいて本発明の実施の形態を詳細に説明する。
図１は本発明にかかる電力用接続コネクタの一実施形態を示す斜視図、図２はその部分断面側面図である。
【００１２】
本実施形態の電力用接続コネクタは、図１に示すように、相互に接続する雄コネクタ２１と雌コネクタ３１からなる。図中、２４は雄コネクタ２１を構成する雄保護カバー、２６は雄コネクタハウジング、３４は雌コネクタ３１を構成する雌保護カバー、３６は雌コネクタハウジングである。
【００１３】
先ず雄コネクタ２１について説明する。
雄コネクタ２１は、図２に示すように、雄端子２２が合成樹脂よりなる雄コネクタ本体２３でモールドされ、前記雄コネクタ本体２３の後部外周にはゴム製の雄保護カバー２４の前部が装着されている。雄コネクタ２１に接続されるケーブル２５は、雄保護カバー２４の後部から挿入され、雄コネクタ本体２３の後部で、後述のように、雄端子２２に電気的に接続されている。
【００１４】
前記雄コネクタ本体２３は、図３（ａ）、（ｂ）、（ｃ）、（ｄ）に示す構造をしている。即ち、雄コネクタ本体２３の前部（雌コネクタ３１との接続側）には円筒部２３ａが突設されて、２個の雄端子２２の先端部がこの円筒部２３ａ内に位置するようにモールドされている。なお、前記２個の雄端子２２は、図３（ｃ）に示すように、接続相手に対する誤接続を防ぐために、円筒部２３ａ内に中心対称からずれた位置に配設されている。
また、雄コネクタ本体２３の後部には、図３（ｂ）に示すように、２個のネジ締め接続端子２７が対向するように配設されている。前記２個のネジ締め接続端子２７は、図３（ａ）、（ｄ）に示すように、一端の圧着部２７ａが埋め込まれ、他端の穴部２７ｂが埋め込まれたナット２８上に位置して露出するように、モールドされている。
前記２個のネジ締め接続端子２７は、前記圧着部２７ａで接続コード２９に接続され、接続コード２９を介して雄端子２２と電気的に接続されている。また、前記２個のネジ締め接続端子２７は、図２に示すように、ケーブル２５に接続された端子２５ａをネジ２５ｂとナット２８を用いて穴部２７ｂに固定することにより、ケーブル２５に接続されている。
【００１５】
前記雄保護カバー２４は、図４（ａ）に示すように、一端部内周に環状の係止突条２４ａが突設され、他端部内周に後向きに傾斜した環状の突条２４ｂが複数段に突設されている。また、雄保護カバー２４には、下面が平坦であるゴム製の取付座２４ｃが一体に設けられている。前記取付座２４ｃには、図４（ｂ）に示すように、雄保護カバー２４の長手方向の両側に位置する２個の貫通穴２４ｄが設けられている。
前記雄保護カバー２４は、図２に示すように、係止突条２４ａが雄コネクタ本体２３の後部外周の溝２３ｂに嵌合し、環状の突条２４ｂがケーブル２５の外周に加圧接触するように装着されている。
【００１６】
次に雌コネクタ３１について説明する。
雌コネクタ３１は、図２に示すように、雌端子３２が合成樹脂よりなる雌コネクタ本体３３でモールドされ、前記雌コネクタ本体３３の後部外周にはゴム製の雌保護カバー３４の前部が装着されている。雌コネクタ３１に接続されるケーブル３５は、雌保護カバー３４の後部から挿入され、雌コネクタ本体３３の後部で、後述のように、雌端子３２に電気的に接続されている。
【００１７】
前記雌コネクタ本体３３は、図５（ａ）、（ｂ）、（ｃ）、（ｄ）に示す構造をしている。即ち、雌コネクタ本体３３の前部（雄コネクタ２１との接続側）には円筒部３３ａが突設されて、２個の雌端子３２の先端部がこの円筒部３３ａ内に位置するようにモールドされている。なお、前記２個の雌端子３２は、前記雄端子２２と嵌合できるように、図５（ｂ）に示すように、円筒部３３ａ内に中心対称にならない位置に配設されている。
また、雌コネクタ本体３３の後部には、図５（ｃ）に示すように、２個のネジ締め接続端子３７が対向するように配設されている。前記２個のネジ締め接続端子３７は、一端の圧着部３７ａが埋め込まれ、他端の穴部３７ｂが埋め込まれたナット３８上に位置して露出するようにモールドされている。
前記２個のネジ締め接続端子３７は、圧着部３７ａで接続コード３９に接続され、接続コード３９を介して雌端子３２と電気的に接続されいる。また、前記２個のネジ締め接続端子３７は、図２に示すように、ケーブル３５に接続された端子３５ａをネジ３５ｂとナット３８を用いてネジ締め接続端子３７の穴部３７ｂに固定することにより、ケーブル３５に接続されている。
【００１８】
雌保護カバー３４は、前記雄保護カバー２４と同一の構造をしており、図１に示すように、長手方向の両側に位置するように２個の貫通穴３４ｄを有し、下面が平坦であるゴム製の取付座３４ｃが一体に設けられている。
前記雌保護カバー３４は、図２に示すように、係止突条３４ａが雌コネクタ本体３３の後部外周の溝３３ｃに嵌合し、環状の突条３４ｂがケーブル３５の外周に加圧接触するように装着されている。
【００１９】
次に、雄コネクタ２１と雌コネクタ３１の接続構造について、図２により説明する。
雄コネクタ本体２３の前部外周には、雄コネクタハウジング２６が装着されている。前記雄コネクタハウジング２６は、筒状をなし、該筒状の前部外周には雄ネジが刻設されている。
また、雌コネクタ本体３３の前部外周には、雌コネクタハウジング３６が装着されている。雌コネクタ本体３３は、前記雄コネクタ本体２３の円筒部２３ａと嵌合する円筒部３３ａと、雌コネクタ本体３３の外周に設けられた鍔部３３ｂを有する。また、雌コネクタハウジング３６は、筒状をなし、段差部３６ａを有して前部の内径が大きくなっており、前部内周には雌ネジが刻設されている。そして、前記雌コネクタハウジング３６は、段差部３６ａが雌コネクタ本体３３の鍔部３３ｂに係止されて、前進が阻止される状態になっている。
雄コネクタ２１と雌コネクタ３１が接続した状態では、雌コネクタ本体３３の円筒部３３ａは雄コネクタ本体２３の円筒部２３ａ内に嵌め込まれて、雄端子２２と雌端子３２は嵌合、接続している。また、雄コネクタハウジング２６と前記雌コネクタハウジング３６は螺合して、雄コネクタ本体２３と雌コネクタ本体３３は相互に離間しないように固定されている。
【００２０】
本実施形態が従来例と異なる第１の特徴的なことは、雄保護カバー２４に取付座２４ｃを一体に設け、雌保護カバー３４にも取付座３４ｃを一体に設けたことである。前述のように、取付座２４ｃはゴム製で下面が平坦であり、雄保護カバー２４の長手方向の両側に位置するように２個の貫通穴２４ｄが設けられている。取付座３４ｃも取付座２４ｃと同様の構造をしている。
従って、本実施形態によれば、雄コネクタ２１と雌コネクタ３１が接続した状態で、雄コネクタ２１側の取付座２４ｃの平坦面を被取付体にあてがい、貫通穴２４ｄにネジを通して，取付座２４ｃを被取付体に確実に固定することができる。また、雌コネクタ３１の取付座３４ｃも同様に被取付体に確実に固定することができる。
【００２１】
本実施形態が従来例と異なる第２の特徴的なことは、雄コネクタ本体２３の後部（接続されるケーブル２５側）に、雄端子２２に接続コード２９を介して電気的に接続したネジ締め接続端子２７を取り付け、同様に、雌コネクタ本体３３の後部に、雌端子３２に接続コード３９を介して電気的に接続したネジ締め接続端子３７を取り付けたことである。
従って、本実施形態によれば、ケーブル２５をネジ締め接続端子２７に接続することにより、雄コネクタ２１にケーブル２５を作業性よく接続することができる。同様に、ケーブル３５をネジ締め接続端子３７に接続することにより、雌コネクタ３１にケーブル３５を作業性よく接続することができる。
【００２２】
なお、上記実施形態は、本発明を具体化した一例であって、本願発明の技術的範囲を限定するものではない。
例えば、雄コネクタ２１および雌コネクタ３１の外周に一体的に設ける取付座２４ｃ、３４ｃは、被取付体の形状に応じて取付易い構造にすることができる。
また、雄コネクタ本体２３の後部に設けた２個のネジ締め接続端子２７は、図６（ａ）、（ｂ）に示すように、同一中心線上にケーブルの接続面が相互に反対向きになるように配設してもよい。雌コネクタ本体３３のネジ締め接続端子３７の配設についても同様である。
【００２３】
【発明の効果】
以上説明したように、請求項１記載の発明によれば、被取付体に確実に固定することができるという優れた効果がある。
また、請求項２記載の発明によれば、電線（ケーブルを含む）を作業性よく接続することができるという優れた効果がある。
【図面の簡単な説明】
【図１】本発明に係る電力用接続コネクタの一実施形態を示す斜視図である。
【図２】上記実施形態の部分断面側面図である。
【図３】（ａ）、（ｂ）、（ｃ）、（ｄ）はそれぞれ、上記実施形態における雄コネクタ本体の部分断面側面図、後部の部分断面背面図、前部の正面図、および部分平面図である。
【図４】（ａ）、（ｂ）はそれぞれ、上記実施形態における雄保護カバーの部分断面側面図および後部の背面図である。
【図５】（ａ）、（ｂ）、（ｃ）、（ｄ）はそれぞれ、上記実施形態における雌コネクタ本体の部分断面側面図、前部の正面図、後部の部分断面背面図、および部分平面図である。
【図６】（ａ）、（ｂ）はそれぞれ、雄コネクタ本体の部分平面図および後部の背面図である。
【図７】従来の電力用接続コネクタの部分断面側面図である。
【符号の説明】
２１                    雄コネクタ
２２                    雄端子
２３                    雄コネクタ本体
２３ａ、３３ａ          円筒部
２３ｂ、３３ｃ          溝
２４                    雄保護カバー
２４ａ，３４ａ          係止突条
２４ｂ、３４ｂ          突条
２４ｃ、３４ｃ          取付座
２４ｄ、３４ｄ          貫通穴
２５、３５              ケーブル
２５ａ、３５ａ          端子
２５ｂ、３５ｂ          ネジ
２６                    雄コネクタハウジング
２７、３７              ネジ締め接続端子
２７ａ、３７ａ          圧着部
２７ｂ、３７ｂ          穴部
２８、３８              ナット
２９、３９              接続コード
３１                    雌コネクタ
３２                    雌端子
３３                    雌コネクタ本体
３３ｂ                  鍔部
３４                    雌保護カバー
３６                    雌コネクタハウジング
３６ａ                  段差部
【図１】
2004259461.tif 000003
【図２】
2004259461.tif 000004
【図３】
2004259461.tif 000005
【図４】
2004259461.tif 000006
【図５】
2004259461.tif 000007
【図６】
2004259461.tif 000008
【図７】
2004259461.tif 000009